(57)【要約】【課題】  感光材料の現像搬送経路のクリーニングを容易に行い得る写真プリント装置を構成する。【解決手段】  露光部から現像部の現像搬送機構Ｃに印画紙Ｐを送る中継搬送ユニットの搬送ローラＲ対を開閉自在に構成し、プリントブロックの筐体１０のうち中継搬送ユニットの搬送ローラ対Ｒの近傍部位に開閉扉部１０Ｚを備える。露光部と現像部とを制御するこのコントローラは、露光部での処理を停止した状態で現像搬送機構Ｃを駆動するクリーニングモードでの処理を実行する。このクリーニングモードでは、開閉扉部１０Ｚを開放し、搬送ローラＲ対を開放位置してクリーニングシートＳを現像搬送機構Ｃに送り込む形態でのクリーニングを実現する。【選択図】        図４
2007003803.tif 000002
【特許請求の範囲】
【請求項１】
露光部で露光された感光材料を現像処理液が貯留された現像部に導入して現像処理を行うように複数の圧着型の搬送ローラを有した現像搬送機構と、この現像搬送機構を制御する制御手段とを備えている写真プリント装置であって、
前記現像搬送機構の搬送方向で前記現像部の上流位置にクリーニングシートを送り込むシート挿入部を形成し、
前記制御手段は、前記露光部での露光処理を停止した状態で前記現像搬送機構を駆動することで前記シート挿入部に挿入された前記クリーニングシートを前記現像部を通過させるクリーニングモードを備えている写真プリント装置。
【請求項２】
前記露光部は、マガジンに収容された長尺の前記感光材料を引き出して露光位置に供給する形態での露光を行うように処理形態が設定され、前記制御手段は、前記クリーニングモードでの処理が選択された際には、引き出されている感光材料を前記マガジンに収容する作動を行う請求項１記載の写真プリント装置。
【請求項３】
前記露光部と前記現像部とが暗箱構造の筐体の内部に収容されると共に、前記シート挿入部が前記露光部と前記現像部との中間位置に形成され、前記筐体のうち前記シート挿入部の近傍位置を開放して前記クリーニングシートの挿入を許す扉部が形成されている請求項１又は２記載の写真プリント装置。
【請求項４】
前記露光部と前記現像部との中間位置において前記感光材料を搬送する中継搬送ユニットを備えると共に、この中継搬送ユニットに備えた前記搬送ローラを構成するローラ対が前記感光材料を圧着する圧着位置と、夫々の搬送ローラが離間する開放位置とに切換自在に構成され、この搬送ローラ対を前記開放位置にセットすることにより形成される開放空間から前記現像搬送機構に対する前記クリーニングシートの挿入を許す請求項３記載の写真プリント装置。
【発明の詳細な説明】
【技術分野】
【０００１】
本発明は、露光部で露光された感光材料を現像処理液が貯留された現像部に導入して現像処理を行うように複数の圧着型の搬送ローラを有した現像搬送機構と、この現像搬送機構を制御する制御手段とを備えている写真プリント装置に関し、詳しくは、前記感光材料の搬送経路をクリーニングする技術に関する。
【背景技術】
【０００２】
上記のように構成された写真プリント装置に関連する技術として特許文献１及び特許文献２に記載されるものが存在する。つまり、特許文献１では感光材料の現像処理後に経過時間をカウントし、現像処理が終了してから所定時間が経過していない場合には、搬送機構の洗浄を行い、現像処理が終了してから所定時間が経過している場合には、ペーパーマガジンから引き出したクリーニング用印画紙を搬送機構に送り込むことで搬送機構のクリーニングを行う。
【０００３】
特許文献２では写真プリント装置におけるネガフィルムの搬送経路に対してクリーニングするために送り込むクリーニングテープが記載されている。このクリーニングテープは、シート本体に形成した粘着面に対して編み地を有したポーラススクリーンを重ね合わせた構造を有しており、このクリーニングテープネガフィルムを経路に送り込む中間挿入口から搬送経路に送り込むことにより、搬送機構における搬送ローラから圧力の作用によって、ポーラススクリーンのメッシュ部分から粘着面が露出して搬送ローラのクリーニングを行う。
【０００４】
【特許文献１】特開２００２−３５１０３５号公報  （段落番号〔００２１〕〜〔００２８〕、図２〜図４）
【特許文献２】特開平１１−２０２４６３号公報  （段落番号〔００１３〕〜〔００２６〕、図１〜図７）
【発明の開示】
【発明が解決しようとする課題】
【０００５】
写真プリント装置の現像部には感光材料を搬送する経路に多数の搬送ローラを配置しており、その搬送ローラの多くが現像処理槽の現像処理液中に配置されている。このような構造の現像処理槽では、印画紙に付着して持ち込まれた塵埃が搬送ローラに付着することや、現像処理液との化学反応によって生成された物質が搬送ローラに付着することがあった。また、現像処理液の液面上に存在する搬送ローラでは、感光材料からの現像処理液が付着した後に時間が経過により現像処理液から水分が蒸発して現像処理液に含まれる薬剤が結晶化することもあった。このように作り出される搬送ローラの付着物は搬送機構に対して継続的に感光材料を搬送することにより、ある適度は除去されるものである。
【０００６】
しかしながら、感光材料を継続して搬送した場合でも、搬送ローラの汚れを完全に除去することは出来ず、汚れた搬送ローラで感光材料を搬送した場合に、感光材料に搬送ローラの汚れが移り感光面を汚すこともあった。
【０００７】
この種の不都合は、特許文献１に示された技術を用いることや、特許文献２に示された技術を用いることによって改善するものである。しかしながら、特許文献１のように感光材料を搬送することによって搬送ローラをクリーニングするものでは、クリーニングを行う幅が感光材料の幅に限られるばかりか、感光材料を無駄に消費する点において改善の余地があった。また、特許文献２では、クリーニング専用の部材を用いるので特許文献１のように感光材料に無駄が発生せず、必要とする幅でクリーニングを行え、しかも、感光材料を搬送した場合より良好にクリーニングを行えるものの、現像処理を行わないタイミングにおいて搬送機構にクリーニング専用の部材を搬送する制御を行う必要があるため、感光材料の処理を完全に終了し、次の現像処理を行わない状況を作り出したタイミングでクリーニング専用の部材の搬送を行う必要がある等、クリーニングを行うための環境を作り出さねばならず手間が掛かるものであった。
【０００８】
因みに、従来の写真プリント装置では、写真プリント装置を停止させた状態で、搬送ローラを備えたラック等を現像処理槽から取り出し、ブラシを用いた人為的な水洗作業により搬送ローラの汚れを取り除いていており、手間が掛かるものであった。
【０００９】
本発明の目的は、感光材料の搬送経路のクリーニングを容易に行い得る写真プリント装置を合理的に構成する点にある。
【課題を解決するための手段】
【００１０】
本発明の特徴は、露光部で露光された感光材料を現像処理液が貯留された現像部に導入して現像処理を行うように複数の圧着型の搬送ローラを有した現像搬送機構と、この現像搬送機構を制御する制御手段とを備えている写真プリント装置において、
前記現像搬送機構の搬送方向で前記現像部の上流位置にクリーニングシートを送り込むシート挿入部を形成し、
前記制御手段は、前記露光部での露光処理を停止した状態で前記現像搬送機構を駆動することで前記シート挿入部に挿入された前記クリーニングシートを前記現像部を通過させるクリーニングモードを備えている点にある。
【００１１】
この構成から、露光部での露光処理を停止する状況を人為的に作り出す操作を行わずとも、クリーニングモードを選択するだけで露光部での露光処理が停止し、シート挿入部からクリーニングシートを送り込むことが可能となる。そして、シート挿入部からクリーニングシートを送り込むことにより、このクリーニングシートを搬送する形態でクリーニングを行える。また、現像搬送機構で搬送される感光材料の最大幅より少し広い幅のクリーニングシートを用いることも可能であり、このようなクリーニングシートを用いることにより、搬送ローラに形成される結晶や、汚れの除去を確実に行える。しかも、印画紙等の感光材料と比較して汚れの除去を効率的に行える素材で成るクリーニングシートを用いることにより、結晶や汚れを確実に除去できる。その結果、クリーニングを行う環境を簡単に作り出し、搬送ローラやガイド等の汚れをクリーニングシートによって除去して、現像処理時に感光材料を汚損する不都合が解消された。
【００１２】
本発明は、前記露光部は、マガジンに収容された長尺の前記感光材料を引き出して露光位置に供給する形態での露光を行うように処理形態が設定され、前記制御手段は、前記クリーニングモードでの処理が選択された際には、引き出されている感光材料を前記マガジンに収容する作動を行っても良い。
【００１３】
この構成により、クリーニングモードでの処理が選択された際には、マガジンから引き出されている感光材料をマガジンに収容する作動が行われ、この後に、例えば、クリーニングシートを挿入するために感光材料を搬送する経路を露出させても、その露出部位からの光線によって感光材料が露光される不都合を回避できる。
【００１４】
本発明は、前記露光部と前記現像部とが暗箱構造の筐体の内部に収容されると共に、前記シート挿入部が前記露光部と前記現像部との中間位置に形成され、前記筐体のうち前記シート挿入部の近傍位置を開放して前記クリーニングシートの挿入を許す扉部を形成しても良い。
【００１５】
この構成により、扉部を開放し、露光部と現像部との中間の現像搬送機構に対してクリーニングシートを挿入することにより、そのクリーニングシートは現像部に送り込まれ、その現像部の搬送ローラ等をクリーニングできる。
【００１６】
本発明は、前記露光部と前記現像部との中間位置において前記感光材料を搬送する中継搬送ユニットを備えると共に、この中継搬送ユニットに備えた前記搬送ローラを構成するローラ対が前記感光材料を圧着する圧着位置と、夫々の搬送ローラが離間する開放位置とに切換自在に構成され、この搬送ローラ対を前記開放位置にセットすることにより形成される開放空間から前記現像搬送機構に対する前記クリーニングシートの挿入を許しても良い。
【００１７】
この構成により、露光部と現像部との中間位置の中継搬送ユニットの搬送ローラを構成するローラ対を開放位置にセットし、この開放位置への切り換えによって形成される開放空間からクリーニングシートを挿入して現像部の現像搬送機構に送り込み、クリーニングを行える。
【発明を実施するための最良の形態】
【００１８】
以下、本発明の実施形態を図面に基づいて説明する。
〔全体構成〕  図１に示すように、現像済みの写真フィルムＦのコマ画像のデジタル信号化を行い、デジタル信号化された画像データの処理を行い、システム全体の基本的な制御を行うオペレートブロックＡを備えると共に、感光材料としての銀塩式の印画紙Ｐに対して露光処理と現像処理とを行い、かつ、乾燥処理を行った後に送り出すプリントブロックＢを備えてデジタルミニラボと称せられる写真プリント装置が構成されている。
【００１９】
〔オペレートブロック〕  前記オペレートブロックＡは、コンソール１に対し前記写真フィルムＦのコマ画像を光電変換によりデジタル信号化して画像データとして取り込むフィルムスキャナ２と、各種情報を表示するディスプレイ３と、画像処理とプリントに必要な各種処理とを行う汎用コンピュータで成る画像処理装置４とを配置している。コンソール１の上面には前記画像処理装置４に対して情報を入力するためキーボード５と、ポインティングデバイスとして機能するマウス６とを備えている。
【００２０】
前記画像処理装置４には、ＣＤやＭＯやＦＤ等のディスク型のメディアからの画像データを取得する、あるいは、半導体型のメディア（図示せず）からの画像データを取得するように夫々のメディアの構造に対応したメディアドライブ７を備えている。この画像処理装置４は、前記ディスプレイ３に表示に従って前記キーボード５やマウス６を操作することにより、色補正やコントラスト補正等の画像処理ばかりでなく、プリントに関連する処理を実現するインタフェースを具備している。
【００２１】
前記フィルムスキャナ２は、下部に発光ダイオードやハロゲンランプ等を有した光源部を配置し、中間部にズームレンズを配置し、上部にズームレンズからのコマ画像をＲ（赤）、Ｇ（緑）、Ｂ（青）の３原色に色分解して取り込むラインＣＣＤ型の光電変換部を配置している。このフィルムスキャナ２では、写真フィルムＦのスキャニングを行う場合、その写真フィルムＦのサイズに適合したフィルムキャリア２Ａを光源部の上面に装着してスキャニングを開始することにより、写真フィルムＦを副走査方向（長手方向）に搬送する作動と同期して光電変換部において写真フィルムＦのコマ画像を主走査方向に沿ってデジタル信号化して取り込む処理が行われ、取り込まれた画像データは前記画像処理装置４に転送され保存される。
【００２２】
〔プリントブロック〕  前記プリントブロックＢは、図１及び図２に示すように、露光部Ｅｘと、現像部Ｄｅと、乾燥部Ｄｒとを暗箱構造の筐体１０に収容して成ると共に、乾燥処理の後に筐体１０の上部の排出部１１から送り出される印画紙Ｐを搬送ベルト１２で水平方向に送り、その印画紙Ｐをソータ１３のトレー１３Ａにオーダー単位で仕分けて集積する。
【００２３】
前記露光部Ｅｘは、下部に２つの印画紙マガジンＭ、Ｍ（マガジンの一例）を配置すると共に、上部位置に露光ヘッドＨを配置し、露光ヘッドＨの近傍に制御手段としてのコントローラ１５を配置している。この露光部Ｅｘでは、印画紙マガジンＭ、Ｍからの印画紙Ｐを供給搬送ユニットＵＦから露光搬送ユニットＵＥに供給して露光を行い、この露光搬送ユニットＵＥからの印画紙Ｐを中継搬送ユニットＵＤを介して前記現像部Ｄｅに送り込むように印画紙Ｐの搬送経路が形成されている。
【００２４】
前記供給搬送ユニットＵＦは、印画紙マガジンＭにロール状で収容した長尺のカラーの印画紙Ｐを圧着型のアドバンスローラ１６で引き出し、カッター１７でプリントサイズに切断し、この切断された印画紙Ｐの裏面側に印字ヘッド１８によって色補正情報等の情報をプリントし、この後、印画紙Ｐを挟持搬送する圧着搬送体１９によって前記露光搬送ユニットＵＥに受け渡す。
【００２５】
前記露光搬送ユニットＵＥは、前記圧着搬送体１９からの印画紙Ｐを受取ローラ２０で受け取ると共に、この印画紙Ｐを一対の駆動ローラ２１と、これに対応する一対の従動ローラ２２とで圧着して上方（副走査方向）に搬送する。この搬送によって前記印画紙Ｐが露光位置Ｘに達すると前記露光ヘッドＨからのレーザビームで主走査方向に沿って露光が行われる。
【００２６】
前記中継搬送ユニットＵＤは、複数の圧着ローラ２３（搬送ローラの一例）を備えた前搬送機構Ｕ１と、一対のチャッカー２４によって印画紙Ｐを２つの振分け経路に振り分ける振分機構Ｕ２と、印画紙Ｐを前記現像部Ｄｅに受け渡す受渡搬送機構Ｕ３とを備えている。
【００２７】
図面には示していないが、前記供給搬送ユニットＵＦは、印画紙マガジンＭ、Ｍに収容された印画紙Ｐの送り出しと巻き戻しとを行う電動モータを備えると共に、前記アドバンスローラ１６、カッター１７、圧着搬送体１９夫々を駆動する電動モータを備えている。また、前記露光搬送ユニットＵＥでは、複数のローラを駆動する電動モータを備えており、中継搬送ユニットＵＤでは、複数のローラを駆動する電動モータと、チャッカー２４を駆動する電動モータとを備えている。これらの電動モータは前記コントローラ１５で制御される。
【００２８】
前記前搬送機構Ｕ１は複数の圧着ローラ２３の駆動回転によって印画紙Ｐを圧着状態で搬送する機能を有するものであり、前記一対のチャッカー２４は、印画紙Ｐを挟持（チャック）する作動と、印画紙Ｐの挟持を解除する作動とを行うと共に、このチャッカー２４を印画紙Ｐの搬送方向に沿う方向と、この作動方向と直交する方向への移動とを行えるように構成されている。
【００２９】
前記受渡搬送機構Ｕ３は本発明のシート挿入部Ｚとして機能させ得るようにも構成されている。つまり、この受渡搬送機構Ｕ３は、図３に示すように、受け入れ側に配置された導入ローラ２５と一対の従動ローラ２６とで成る搬送ローラＲ（搬送ローラ対）を備えると共に、受け入れた印画紙Ｐを斜め下方に案内する下側・上側の案内プレート２７・２８と、この案内プレート２７、２８に沿って印画紙Ｐ搬送するように下側の案内プレート２７の側に配置された３つの駆動ローラ２９と、これに対向する上側の案内プレート２８の側に配置された３つの従動ローラ３０とを備えている。
【００３０】
前記３つの駆動ローラ２９と対応する３つの従動ローラ３０とで複数の搬送ローラＲ（搬送ローラ対）が構成されている。図面には示していないが、前記導入ローラ２５と前記３つの駆動ローラ２９に電動モータからの駆動力を伝える伝動系が形成されている。
【００３１】
また、前記上側の案内プレート２８は、上流側の２つの従動ローラ３０に対応する可動プレート２８Ａと下端位置の１つの従動ローラ３０に対応する固定プレート２８Ｂとで構成され、この可動プレート２８Ａと固定プレート２８Ｂとを横向き姿勢の支軸３１周りで揺動自在に連結しており、可動プレート２８Ａに対して前記上流側の２つの従動ローラ３０が遊転支承され、固定プレート２８Ｂに対して下端の従動ローラ３０が遊転支承されている。更に、前記３つの駆動ローラ２９は下側の案内プレート２７に一体形成したフレームに支持されている。
【００３２】
この受渡搬送機構Ｕ３では、前記可動プレート２８Ａを図３に示す閉姿勢に設定することにより、駆動ローラ２９と従動ローラ３０とが圧着する圧着位置となり、この可動プレート２８Ａを図４に示す開放姿勢に設定することにより、駆動ローラ２９と従動ローラ３０とが離間する開放位置に達する。
【００３３】
このような構成であるため、中継搬送ユニットＵＤでは、前記露光搬送ユニットＵＥから上方に送り出される印画紙Ｐを前記前搬送機構Ｕ１の複数の圧着ローラ２３での搬送により搬送方向を水平方向に変換して振分機構Ｕ２に受け渡す。振分機構Ｕ２では、比較的小さいサイズの印画紙Ｐは夫々のチャッカー２４で挟持し、予め設定されて２列の振分経路に振り分けて送り出し、また、大きいサイズの印画紙Ｐは幅方向の両端部を一対のチャッカー２４で同時に挟持して振り分けを行わずに送り出す。前記受渡搬送機構Ｕ３は振分機構Ｕ２のチャッカー２４から受け渡された印画紙Ｐを導入ローラ２５と従動ローラ２６とで圧着する状態で搬送を開始し、この印画紙Ｐを前記案内プレート２７、２８の間で案内する状態で、３つの駆動ローラ２９と対応する従動ローラ３０とで順次圧着して搬送し、現像部Ｄｅの圧着型の受入ローラ３５（搬送ローラＲの一例）に受け渡す。
【００３４】
前記現像部Ｄｅは、発色現像槽と漂白定着槽と安定槽とで成る複数の処理槽を一体形成した現像処理槽３６を備えている。夫々の処理槽には印画紙Ｐの現像処理を行う現像処理液が貯留されると共に、印画紙Ｐを搬送するための複数の圧着ローラ３７（搬送ローラＲの一例）を有した搬送ラック３８と、夫々の搬送ラック３８において上部に送り出された印画紙Ｐを次の搬送ラック３８に受け渡すように複数の圧着ローラ３９（搬送ローラＲの一例）を有したオーバーヘッドラック４０とを備えている。
【００３５】
前記複数の圧着ローラ３７を備えた搬送ラック３８と、前記複数の圧着ローラ３９を備えたオーバーヘッドラック４０とで本発明の現像搬送機構Ｃが構成されている。また、図面には示していないが、搬送ラック３８に備えた圧着ローラ３７と、オーバーヘッドラック４０とに備えた圧着ローラ３７、３９は電動モータによって同期駆動される。
【００３６】
前記乾燥部Ｄｒは、現像部Ｄｅから送り出された印画紙Ｐに対してブロワ４５からの乾燥空気を供給して乾燥を行う。
【００３７】
本発明の写真プリント装置は、図５及び図６に示すクリーニングシートＳを前記露光部Ｅと現像部Ｄｅとの中間位置のシート挿入部Ｚから現像部Ｄｅに送り込むことによって、このシート挿入部Ｚを基準にして下流側の前記現像搬送機構Ｃに備えられた複数の搬送ローラＲのクリーニングを行えるように構成されている。
【００３８】
このクリーニングシートＳは、幅ＷがプリントブロックＢにおいて処理可能な印画紙Ｐの幅より僅かに広く、長さＬが該クリーニングシートＳを安定的に搬送するに充分な値に設定され、厚さＴが印画紙Ｐより少し厚い値に設定されている。このクリーニングシートは柔軟で耐水性能に優れた性質の樹脂製で両面に多数の凹部Ｓａと凸部Ｓｂとを連続的に形成した形状であり、現像部Ｄｅの搬送経路に送り込むことにより、搬送ローラに対して多数の凸部Ｓｂが接触することにより、結晶化物や汚れを拭き取るように除去する。
【００３９】
そして、このクリーニングシートＳは使用後には水洗いすることにより表面が清浄化して再使用が可能となる性能のものである。また、このクリーニングシートＳは多数の凹部のみを形成したものや多数の凸部を形成したものであって良く、特開平１１−２０２４６３号公報（特許文献２）に記載されたもののように粘着する性質のものを使用することや、表面に微細な研磨剤を含むものを使用しても良い。
【００４０】
図１に示すように、前記プリントブロックＢの筐体１０の側面には露光部Ｅｘと現像部Ｄｅと乾燥部Ｄｒとを開放する複数の扉１０Ａが開閉自在に備えられ、この筐体１０の上面において、前記中継搬送ユニットＵＤを構成する前記受渡搬送機構Ｕ３の上方位置にはヒンジ５０を介して開閉する開閉扉部１０Ｚ（扉部の一例）を形成している。
【００４１】
前記プリントブロックＢのコントローラ１５はマイクロプロセッサを備えており、前記露光部Ｅｘでの印画紙Ｐの搬送と露光ヘッドＨでの露光を制御すると共に、現像部Ｄｅでの印画紙Ｐの搬送を制御する。また、前記オペレートブロックＡの画像処理装置４はプリント対象とする画像データとオーダデータとを前記コントローラ１５に伝送することによりプリント処理を実現する。
【００４２】
〔制御形態〕  前記コントローラ１５は、図７のフローチャートに示す搬送ルーチンを実行する。つまり、電源を投入してプリントブロックＢを稼動させた場合にはイニシャライズの後に、通常搬送モードが設定される（＃０１、＃０２ステップ）。
【００４３】
この通常搬送モードでは、プリント処理に対応して前記供給搬送ユニットＵＦ、露光搬送ユニットＵＥ、中継搬送ユニットＵＤ夫々において印画紙Ｐを搬送すると共に、現像部Ｄｅにおいて設定された速度で印画紙Ｐを搬送し、乾燥部Ｄｒにおいて印画紙Ｐを設定速度で搬送し、排出部１１から送り出す制御が行われる。また、この通常搬送モードでの搬送時に搬送系で印画紙Ｐの詰まりを発生した場合には、搬送を停止し、詰まりが発生したことを示す情報を前記画像処理装置４に伝送して、ディスプレイ３に詰まりが発生した情報の表示を行う。
【００４４】
次に、オペレートブロックＡのキーボード５あるいはマウス６の操作によってクリーニングモードが選択された場合には、この情報が前記コントローラ１５に伝送され、このコントローラ１５が、露光処理中の印画紙Ｐの露光の完了後に、露光済の印画紙Ｐを送り出して現像処理を行い、印画紙マガジンＭから引き出されている印画紙Ｐを印画紙マガジンＭに巻き戻し、現像部Ｄｅと乾燥部Ｄｒとの搬送は継続する（＃０３、＃０４ステップ）。
【００４５】
この＃０４ステップでは、印画紙マガジンＭに対して印画紙Ｐを巻き戻したことを判別する信号と、露光済の印画紙Ｐを現像部Ｄｅに送り出したことを確認する信号とを取得するよう処理系が構成され、これらの信号を取得した場合には、クリーニング可能であることを示す情報をオペレートブロックＡに伝送し、ディスプレイ３に表示する（＃０５ステップ）。
【００４６】
この＃０５ステップの状態に達したことをオペレータが確認すると、図４に示すように、前記開閉扉部１０Ｚを人為的に開放すると共に、前記可動プレート２８Ａを人為的に開放して前記駆動ローラ２９と従動ローラ３０とで成るローラ対を開放位置にセットする。このクリーニングモードでは、現像部Ｄｅと乾燥部Ｄｒとの搬送が継続しているため、ローラ対を開放することで開放空間として作り出されるシート挿入部ＺからオペレータがクリーニングシートＳを挿入することでクリーニングシートＳは受渡搬送機構Ｕ３に引き込まれ、更に、前記受入ローラ３５に送り込まれる。
【００４７】
このように受入ローラ３５に送り込まれたクリーニングシートＳは、搬送ラック３８の複数の圧着ローラ３７と、オーバーヘッドラック４０の複数の圧着ローラ３９を通過する形態で搬送され、この搬送時に、夫々の圧着ローラ３７、３９に接触して結晶化物や汚れを拭き取るように除去する。
【００４８】
この制御形態では、クリーニングモードが選択された後には現像搬送機構Ｃが継続的に作動するものであるが、シート挿入部ＺからクリーニングシートＳを挿入した後にオペレータがキーボード５等を操作することにより受渡搬送機構Ｕ３と現像搬送機構Ｃとが作動を開始してクリーニングシートＳの搬送を開始するように制御形態を設定しても良い。
【００４９】
このようにクリーニングシートＳを現像部Ｄｅに送り込み、排出部１１から排出されたクリーニングシートＳを回収した後には、オペレートブロックＡのキーボード５あるいはマウス６の操作によってクリーニングが終了したことを示す情報を入力することにより、クリーニングモードでの処理を終了し、通常搬送モードでの搬送が可能となる（＃０６ステップ）。そして、搬送ルーチンを終了する情報を入力することで搬送ルーチンが終了する（＃０７ステップ）。
【００５０】
このように本発明の写真プリント装置では、クリーニングモードを選択した後に開閉扉部１０Ｚを開放した場合でも、露光部Ｅｘの内部で印画紙Ｐにカブリを発生させる不都合を招くことがない。また、受渡搬送機構Ｕ３の可動プレート２８Ａを開放することでシート挿入部Ｚを大きく開放した状態で印画紙Ｐの搬送経路に対して直接的なクリーニングシートＳの挿入を許すものとなり、クリーニングシートＳを容易に挿入して搬送ローラＲのクリーニングを行えるのである。
【００５１】
〔別実施形態〕
本発明は、上記した実施の形態以外に以下のように構成しても良い。
【００５２】
（ａ）単一の制御装置によって受け付け処理からプリント処理までを行う写真プリント装置に適用することや、３つ以上の制御装置を備えた写真プリント装置に適用しても良い。このように３つ以上の制御装置を備えたものでは、夫々の協働によってクリーニングのための制御を実行することになる。
【００５３】
（ｂ）クリーニング時には、シート挿入部に挿入するクリーニングシートの送り込みを補助する駆動ローラを取り付けるように構成する。このようにクリーニング時にのみ駆動ローラを備えることにより、長尺のクリーニングシートでも円滑に送り込める。
【産業上の利用可能性】
【００５４】
予め設定された量の現像処理を実行した後には、自動的にクリーニングモードに切り換わるように処理形態を設定する。これにより、オペレータがクリーニングが必要であることを確実に認識して、現像搬送機構の汚れの除去を行える。
【図面の簡単な説明】
【００５５】
【図１】写真プリント装置の斜視図
【図２】プリントブロックの縦断正面図
【図３】受渡搬送機構の部位の搬送構造を示す断面図
【図４】クリーニングシートを挿入する際の受渡搬送機構の状態を示す断面図
【図５】クリーニングシートの斜視図
【図６】クリーニングシートの拡大断面図
【図７】搬送ルーチンのフローチャート
【符号の説明】
【００５６】
１０          筐体
１０Ｚ        扉部：開閉扉部
１５          制御手段：コントローラ
Ｃ            現像搬送機構
Ｍ            マガジン
Ｐ            感光材料：印画紙
Ｒ            搬送ローラ
Ｓ            クリーニングシート
Ｚ            シート挿入部
Ｅｘ          露光部
Ｄｅ          現像部
ＵＤ          中継搬送ユニット
Ｘ            露光位置
【図１】
2007003803.tif 000003
【図２】
2007003803.tif 000004
【図３】
2007003803.tif 000005
【図４】
2007003803.tif 000006
【図５】
2007003803.tif 000007
【図６】
2007003803.tif 000008
【図７】
2007003803.tif 000009